(57)【要約】  本発明は、コンテントをリニア・メディアと対応付けるための方法及びシステムに関連する。より詳細には、しかし排他的でなく、本発明は、コンテントをリニア・メディアの一部にリンクすることによって、非同期的なコンテントを、リニア・メディアと対応付けるための方法及びシステムであって、リニア・メディアに関連するコンテントを生成し（５）、コンテントに対応付けられたリニア・メディアの一部を識別し（４）、そして、コンテントを一部にリンクする（６）、ステップを含み、コンテントが、リニア・メディアと同期されず、コンテントが、リニア・メディアの生成とは非同時発生的に生成される方法及びシステムに関連する。本発明の方法を実行するためのサーバ、システム、装置、及び、ソフトウェアと共に、協動的なメディアを提供し、リニア・メディアにアクセスするための方法もまた開示される。
2008507195.tif 000002
【特許請求の範囲】
【請求項１】
コンテントを、リニア・メディアに対応付ける方法であって、
ｉ）前記リニア・メディアに関連するコンテントを生成し、
ii）前記コンテントに対応付けられた前記リニア・メディアの一部を識別し、そして、
iii）前記コンテントを、前記一部にリンクする、
ステップを含み、
前記コンテントが前記リニア・メディアと同期されておらず、そして、前記コンテントが、前記リニア・メディアの生成とは非同時発生的に生成される、
コンテントを、リニア・メディアに対応付ける方法。
【請求項２】
ステップ（ｉ）の前に前記リニア・メディアを記録するステップを含む、
請求項１に記載の方法。
【請求項３】
前記一部が、
前記リニア・メディアを再生し、そして
ユーザが、コンテントをリンクするために選択する、
というサブ・ステップによってステップ（ii）で識別され、
識別された前記一部が、ユーザが、コンテントをリンクするために選択するときの前記リニア・メディア内の一部である、
以上の請求項のいずれかに記載の方法。
【請求項４】
ユーザが前記コンテントをリンクするために選択した後に、ユーザが前記コンテントを提供し
ユーザが前記コンテントを提供するときに前記リニア・メディアが再生を継続する、
する、
請求項３に記載の方法。
【請求項５】
ユーザが前記コンテントをリンクするために選択した後に、ユーザが前記コンテントを提供し、
ユーザが前記コンテントを提供するときに、前記リニア・メディアの前記再生が一時停止される、
請求項３に記載の方法。
【請求項６】
ステップ（iii）における前記リンクが、２方向リンク（two-way link）である、
以上のいずれかの請求項に記載された方法。
【請求項７】
前記リニア・メディアが、ストリーミング・ビデオ、ストリーミング音声、ストリーミング・プレゼンテーション、フラッシュ・プレゼンテーション、監督／オーサー・ウェア（Authorware）・プレゼンテーション、ＨＴＴＰ擬似ストリーミング・ビデオ、ＨＴＴＰ擬似ストリーミング音声、ＣＤ／ＤＶＤベースのビデオ、ＣＤ／ＤＶＤベースの音声、ＣＤ／ＤＶＤベースの同期化されたメディア・プレゼンテーション、ハード・ディスク・ベースのビデオ、ハード・ディスク・ベースの音声、ハード・ディスク・ベースの同期化されたメディア・プレゼンテーション、イメージ・シーケンス、ＩＰＴＶ、デジタル・テレビ、３Ｇビデオ、及び、音声ＣＤの組から選択された、１つあるいはそれより多いものである、
以上の請求項のいずれかに記載の方法。
【請求項８】
前記コンテントが、テキスト的なもの、チャット・トランスクリプト、リニア・メディアの音声コンテントのスピーチからテキストへのトランスクリプト、ストリーミング音声／ストリーミング・ビデオ応答、ダウンロードされた音声／ビデオ、スチル画像、発明の他の例（instance）へのリンク、ウェブ・サイト又はウェブ・サイト上のコンテントへのリンク、ストリーミング・ビデオ、ストリーミング音声、ストリーミング・プレゼンテーション、フラッシュ・プレゼンテーション、監督／オーサー・ウェア（Authorware）・プレゼンテーション、ＨＴＴＰ擬似ストリーミング・ビデオ、ＨＴＴＰ擬似ストリーミング音声、ＣＤ／ＤＶＤベースのビデオ、ＣＤ／ＤＶＤベースの音声、ＣＤ／ＤＶＤベースの同期化されたメディア・プレゼンテーション、ハード・ディスク・ベースのビデオ、ハード・ディスク・ベースの音声、ハード・ディスク・ベースの同期化されたメディア・プレゼンテーション、イメージ・シーケンス、ＩＰＴＶ、デジタル・テレビ、３Ｇビデオ、及び、音声ＣＤ、の組から選択された１つあるいはそれより多いものである、
以上の請求項のいずれかに記載の方法。
【請求項９】
ユーザが、前記リニア・メディア内の前記一部を識別して、前記コンテントを生成する、以上の請求項のいずれかに記載の方法。
【請求項１０】
ユーザが、前記リニア・メディア内の前記一部を識別するが、前記コンテントを生成しない、請求項１ないし８のいずれかに記載の方法。
【請求項１１】
前記一部が、時間の特定のポイントである、以上の請求項のいずれかに記載の方法。
【請求項１２】
前記一部が、時間の範囲である、請求項１ないし１０のいずれかに記載の方法。
【請求項１３】
前記一部が、ユーザの支援によって識別される、以上の請求項のいずれかに記載の方法。
【請求項１４】
前記一部が、より早い時点においてユーザによって有効化された、コンピュータベースのルールの支援によって識別される、以上の請求項のいずれかに記載の方法。
【請求項１５】
前記一部が、
ａ．前記リニア・メディアを見ること／聞くことに基づいて、ユーザが前記一部に対する時間の特定のポイントを選択する、
ｂ．前記リニア・メディアを見ること／聞くことに基づいて、ユーザが前記一部に対する時間の範囲を選択する、
ｃ．ユーザによって見られるリニア・メディアの時間の前記範囲に基づいて前記一部を識別する、
ｄ．ランダムな選択に基づいて前記一部を識別する、
ｅ．前記リニア・メディア内の特定の事象に基づいて前記一部を識別する、
ｆ．前記リニア・メディア内のワード又はフレーズの位置に基づいて前記一部を識別する、
ｇ．リニア・メディアのビデオ・コンテントの分析によって前記一部を識別する、
ｈ．一部を既に識別しているコンテントへのリンクを通じた参照によって前記一部を識別する、
ｉ．ルールの所定の組に基づいて前記一部を識別する、及び
ｊ．コンテントの組に基づいて前記一部を識別するものであって、当該組内の各コンテントが、リニア・メディアの一部にリンクされ、識別された部分が、コンテントの組の中の最も早いリンクから、コンテントの組の中の最も遅いリンクへのリニア・メディア内の時間の範囲である、
組から選択された１つあるいはそれより多いステップによってステップ（ii）で識別される、以上の請求項のいずれかに記載の方法。
【請求項１６】
前記一部が、前記リニア・メディア内の特定の事象に基づいて識別され、
Ｈ.323、ＳＩＰ、若しくは、Ｈ.234／Ｍプロトコル、又は、Ｈ.323アンブレラの下でカバーされるプロトコル、が使用されて、前記特定の事象を識別する、
請求項１５に記載の方法。
【請求項１７】
前記一部が、エラーのマージンを有するユーザ選択に基づいて識別される、
以上のいずれかの請求項に記載の方法。
【請求項１８】
ユーザ・コンピュータによって使用するための、ユーザへのストリーミング、ユーザ・コンピュータへのダウンローディング、及び、記録可能なメディア上での記憶、の組から選択される、いずれか１つのステップを含み、
これらのステップが、ステップ（ｉ）の前に発生する、
以上のいずれかの請求項に記載の方法。
【請求項１９】
前記リニア・メディアがビデオであり、前記コンテントがテキストである、
以上のいずれかの請求項に記載の方法。
【請求項２０】
ユーザが、第２のコンテントで（with）前記コンテントに応答するステップを含む、
以上のいずれかの請求項に記載の方法。
【請求項２１】
前記第２のコンテントが、前記コンテントによってリンクされた前記一部にリンクされる、請求項２０に記載の方法。
【請求項２２】
前記第２のコンテントが、前記コンテントによってリンクされた前記一部にリンクされていない、請求項２０に記載の方法。
【請求項２３】
前記コンテントの前記生成をタイム・スタンピングするステップを含む、
以上のいずれかの請求項に記載の方法。
【請求項２４】
前記一部を識別する情報が前記コンテントと共に記憶される、以上のいずれかの請求項に記載の方法。
【請求項２５】
コンテントを、リニア・メディアと対応付ける方法であって、
ｉ）複数のユーザの各々が、前記リニア・メディア内の一部を識別し、
ii）各ユーザが、対応する前記一部に関連するコンテントを生成し、そして
iii）各コンテントを、その対応する一部にリンクする、
ステップを含み、
前記コンテントが前記リニア・メディアと同期されておらず、そして、前記コンテントが、前記リニア・メディアの生成とは非同時発生的に生成される方法。
【請求項２６】
各コンテントの前記生成をタイム・スタンピングするステップを含む、請求項２５に記載の方法。
【請求項２７】
各リンクが、２方向リンクである、請求項２５から２６のいずれかに記載される方法。
【請求項２８】
協働的メディアを提供する方法であって、
ｉ）リニア・メディアを記録し、
ii）複数のユーザが、前記リニア・メディア内の一部を識別し、
iii）各ユーザが、対応する前記一部に関連するコンテントを生成し、
iv）各コンテントを、その対応する一部にリンクし、
ｖ）前記複数のコンテントを含むインターフェースを、ユーザに表示し、
vi）ユーザが、１つのコンテントを選択し、そして
vii）前記インターフェースが、前記選択されたコンテントに対応する前記リニア・メディアの前記一部を表示する、
ステップを含み、
少なくとも１つのコンテントが、前記リニア・メディアと同期されておらず、そして、少なくとも１つのコンテントが、前記リニア・メディアの前記生成とは非同時生成的に生成される方法。
【請求項２９】
各コンテントの前記生成をタイム・スタンピングするステップを含む、請求項２８に記載の方法。
【請求項３０】
各リンクが、２方向リンクである、請求項２８から２９のいずれかに記載される方法。
【請求項３１】
前記コンテントのいずれも、前記リニア・メディアと同期されていない、請求項２８から３０に記載の方法。
【請求項３２】
前記コンテントの全てが、前記リニア・メディアの前記生成とは非同時生成的に生成される、請求項２８から３１のいずれかに記載の方法。
【請求項３３】
リニア・メディアにアクセスする方法であって、
ｉ）ユーザが、非同期的コンテントを選択し、そして、
ii）前記コンテントにリンクされた一部から前記リニア・メディアを再生する、
ステップを含み、
前記コンテントが、前記リニア・メディアの生成と非同時生成的に生成されたものである方法。
【請求項３４】
リニア・メディアにアクセスする方法であって、
ｉ）ユーザが、時間の範囲を選択するために探索し、
ii）前記時間の範囲内の前記リニア・メディアの一部にリンクされたコンテントを非同期的に表示し、
ii）前記時間の範囲内の前記リニア・メディアを表示する、
ステップを含み、
前記コンテントが、前記リニア・メディアの生成とは非同時生成的に生成されたものである方法。
【請求項３５】
リニア・メディアにアクセスする方法であって、
ｉ）前記リニア・メディアを表示し、そして、
ii）前記リニア・メディア内の一時的な位置において、その一時的位置に関連する前記リニア・メディアの一部にリンクされた非同期的コンテントを表示する、
ステップを含み、
前記コンテントが、前記リニア・メディアの生成とは非同時生成的に生成されたものである方法。
【請求項３６】
コンテントを、リニア・メディアと対応付けるためのシステムであって、
リニア・メディアを、クライアント装置にストリーミングするようにされたサーバ、および、
コンテントを生成するために、そして、当該コンテントを、前記一部とリンクするために、ユーザ入力を受け入れ（accepting）て、前記リニア・メディアの一部を識別するために、前記リニア・メディアを受信するようにされたクライアント装置、
を備えるシステム。
【請求項３７】
前記サーバが、デジタル・ネットワークを介して、前記クライアント装置と通信する、請求項３６に記載のシステム。
【請求項３８】
複数の前記クライアント装置を含む、請求項３６から３７に記載のシステム。
【請求項３９】
協働的なメディアを提供するためのシステムであって、
コンテントを生成するために、そして、前記コンテントを前記一部とリンクするために、ユーザ入力を受け入れて、前記リニア・メディアの一部を識別するために、リニア・メディアを表示するようにされた第１の装置、及び、
ユーザ入力を受け入れて、前記コンテントを選択するために、そして、前記コンテントにリンクされた前記リニア・メディアの前記一部を表示するために、前記コンテントを表示するようにされた第２の装置、
を備えるシステム。
【請求項４０】
非同期的なコンテントを、リニア・メディアと対応付けるための装置であって、
前記リニア・メディアを記憶し、前記コンテントを記憶するようにされたメモリ、
前記リニア・メディアを、ユーザに出力するようにされた出力装置、
ユーザ入力を受信して、前記リニア・メディアの一部の識別を支援するようにされた入力装置、及び、
前記リニア・メディアの一部を、前記コンテントにリンクするようにされたプロセッサ、
を備える装置。
【請求項４１】
前記入力装置が、更に、ユーザ入力を受信して、前記コンテントを生成するようにされた、請求項４０に記載された装置。
【請求項４２】
非同期的なコンテントを、リニア・メディアと対応付けるためのサーバであって、
コンテントを受信し、
前記リニア・メディアの一部の識別を受信し、そして、
前記コンテントを、前記リニア・メディアにリンクする、
ようにされ、
前記コンテントが、前記リニア・メディアの前記生成とは非同時発生的に生成される、
サーバ。
【請求項４３】
非同期的コンテントをリニア・メディアと対応付けるためのクライアントであって、
前記コンテントを生成し、
ユーザ入力を受信して、前記リニア・メディアの一部の識別を支援し、
前記コンテント及び前記識別を、サーバに送る、
ようにされ、
前記コンテントが、前記リニア・メディアの前記生成とは非同時生成的に生成される、
クライアント。
【請求項４４】
非同期的コンンテントを、リニア・メディアと対応付けるためのソフトウェアであって、
前記リニア・メディアを表示するようにされたユーザ・インターフェースであって、ユーザ入力を受信して前記リニア・メディアの一部を識別し、ユーザ入力を受信してコンテントの前記生成を支援する、インターフェース、及び、
前記コンテントを、前記リニア・メディアの前記一部にリンクするようにされた協動モジュール、
を含み、
前記コンテントが、前記リニア・メディアとは非同時生成的に生成されるものであるソフトウェア。
【請求項４５】
請求項３６から３８のいずれかに記載されたシステム内の前記サーバと前記クライアントの間を送信される電気的信号。
【請求項４６】
以上のいずれかの請求項に記載された、方法、システム、装置、又は、ソフトウェアのいずれかから生み出される（resulting from）、協働的メディア。
【請求項４７】
リニア・メディア、
コンテント、及び、
前記コンテントと前記リニア・メディアの一部のをリンクするタイミング情報、
を含む協動的メディア。
【発明の詳細な説明】
【技術分野】
【０００１】
本発明は、コンテント（content）とリニア・メディア（linear media）を対応付けるための方法及びシステムに関連する。より詳細には、しかし、限定的でなく、本発明は、コンテントをリニア・メディアの一部にリンクすることによって、コンテントをリニア・メディアに対応付けるための方法及びシステムに関連する。
【背景技術】
【０００２】
ビデオ・コンフェレンスにおける協動は、現在、同期が取られた方法に基づくのが通例である。ビデオ・コンフェレンスが行われるときには、参加者は、ライブ・チャット、共有されたホワイト・ボード、及び、文書共有のような特徴を利用する。コンフェレンスが行われている間においてこれらの特徴は有用であるが、コンフェレンスが終了したときには、その価値を失う。何故なら、これらの特徴は、人々が、同時に出席することを要求するからである。
【０００３】
記録されたビデオ・コンフェレンスと、非同期的な協動作業方法を結合することによって、ビデオ・コンフェレンスの参加者と、ビデオ・コンフェレンスに参加できない他の者の双方にとって、彼ら自身の時間において、ビデオ・コンフェレンスに再訪問し、ビデオ（又は音声）を検討し、そのコンテントについての議論に、非同期的に参加することが可能となる。しかし、単に、ビデオへのリンクを提供し、次に、議論へのリンクを提供することは、非常に限定的であり、小さな付加価値しか提供しない。同期的メディア（リニア・メディア）と、非同期的協動をリンク付けするコンセプトは、それらを一緒にし、それらを、２つの組合せではなく、単一の技術として提示することによって、２つの、深いレベルの統合（integration）を提供する。
【０００４】
リニア・メディアと非同期的技術（例えば、非同期的協動）をリンクするための現在の方法は、それらのリンキングの範囲及び有効性において限定されている。
【０００５】
オンンライン・ディスカッション・フォーラムのような非同期的協動環境において、ユーザは、リンク（例えばＵＲＬ）を含むメッセージを、ストリーミング・ビデオのようなリニア・メディアのいくつかのフォーラムに提示することが許される。これは１方向のリンクであり、読み手がそれを眺めることができるように、読み手を、ストリーム化されたメディアに向ける目的だけを提供する。このストリーム化されたビデオについて議論が行われ得るが、それらのテキスト全体を通じた参照によって、メッセージ・ポスティングがストリーム化されたビデオを参照するようなやり方によってのみ議論が行われ得る。ストリーム化されたビデオ内の特定のポイントへの参照は、メッセージ・ポスティング・テキスト（例えば、「（リンクが提供された）ビデオの１６分位の位置において」）内で説明されなければならない。そして、次に、視聴者は、正確な位置を探しながら、そのポイントを探すことが要求される。ビデオは、それを開始させるために、メッセージ内のリンク上をクリックすることによってのみ視聴され得る。そして、メッセージ自体は、ストリーム化されたビデオへの更なる参照（reference）を保持しない。
【０００６】
標準的なＵＲＬ上の前進（advancement）は、「しおり（bookmark）」である。この場合には、ユーザは、ストリーミング・ビデオのようなリニア・メディアのフォームへのリンクを生成できるだけでなく、このリンクを、ストリーミング・ビデオ内の時間のポイントに生成することが可能である。これは、リンクを、より特定的に（specific）し、ユーザが、ストリーミング・ビデオ内の時間の特定のポイントを識別することを可能とする。しおりの上をクリックすることによって、視聴者がビデオを開始してその位置を探索せねばならぬのではなく、視聴者はメッセージ・ポスター（poster）が参照されている特定のポイントに連れていかれる。しかし、このリンクもまた１方向性であり、メッセージは、ストリーミング・ビデオについての更なる情報を全く保持しない。
【０００７】
２つの、以上の例が、単純な表現で、リニア・メディアと非同期的技術をリンクすることが既に可能であることを示した一方、それらのリンクの１方向性によって、それらは、それらの使用において限定される。
【発明の開示】
【発明が解決しようとする課題】
【０００８】
本発明の目的は、非同期的コンテントをリニア・メディアと対応付けるための方法及びシステムを提供することによって、従来技術の不利な点を克服すること、又は、少なくとも、有用な代替物を提供することである。
【課題を解決するための手段】
【０００９】
本発明の第１の特徴によれば、
（ｉ）リニア・メディアに関連するコンテントを生成し、
（ii）前記コンテントに対応付けられる前記リニア・メディアの一部を識別し、そして、
（iii）コンテントを前記一部にリンクする、
ステップを含み、
前記コンテントが、前記リニア・メディアと同期されておらず、
前記コンテントが、前記リニア・メディアの生成と非同時発生的に生成される、
コンテントをリニア・メディアに対応付ける方法が提供される。
【００１０】
本方法は、ステップ（ｉ）の前に、リニア・メディアを記録するステップを含むことが好ましい。
【００１１】
前記一部は、
・リニア・メディアを再生する、
・ユーザがリンクするためにコンテントを選ぶ、
・ユーザが、コンテントを提供する、
ことによってステップ（ii）で識別され得る。ここで、識別された前記一部は、ユーザがリンクするためにコンテントを選ぶときの前記リニア・メディア内の位置であり、ユーザがコンテントを提供するときにリニア・メディアは再生し続ける。
【００１２】
前記一部は、
・リニア・メディアを再生する、
・ユーザが、コンテントをリンクするために選択する（electing）、
・リニア・メヂィアを休止する、
・ユーザが、コンテントを提供する、
ことによってステップ（ii）において識別され（identified）得る。ここで、識別された前記一部は、ユーザがコンテントをリンクするために選択するときのリニア・メディア内の位置である。
【００１３】
好ましくは、リンクは、２方向リンクである。
【００１４】
リニア・メディアが、
・ストリーミング・ビデオ（例えばRealMedia, Windows（登録商標） Media, QuickTime  ビデオ）、
・ストリーミング音声（例えば、RealMedia, Windows（登録商標） Media, QuickTime  audio）
・ストリーミング・プレゼンテーション（ビデオ／音声及びスチル画、例えば、ＳＭＩＬプレゼンテーション）、
・フラッシュ（Flash）・プレゼンテーション、
・監督／オーサー・ウェア（Authorware）・プレゼンテーション、
・ＨＴＴＰ擬似ストリーミング・ビデオ（例えば、QuickTime高速スタート映画）、
・ＨＴＴＰ擬似ストリーミング音声
・ＣＤ／ＤＶＤベースのビデオ、
・ＣＤ／ＤＶＤベースの音声、
・ＣＤ／ＤＶＤベースの同期化されたメディア・プレゼンテーション、
・ハード・ディスク・ベースのビデオ、
・ハード・ディスク・ベースの音声、
・ハード・ディスク・ベースの同期化されたメディア・プレゼンテーション、
・イメージ・シーケンス（フォト・モンタージュ等）
・ＩＰＴＶ、
・デジタル・テレビ（即ち、ＨＤＴＶ）
・３Ｇビデオ、
・音声ＣＤ
のいずれか１つであることが好ましい。
【００１５】
コンテントは、
・テキスト的な（テキスト／キャラクター・ベースのメッセージ・ポスティング）、
・チャット・トランスクリプト、
・リニア・メディアの音声コンテントのスピーチからテキストへのトランスクリプト、
・ストリーミング音声／ストリーミング・ビデオ応答（非同期的ビデオ・コンフェレンスの一種）
・ダウンロードされた音声／ビデオ（音声／ビデオ・メール応答を残すような）
・スチル画像、
・発明の他の例（instance）へのリンク、
・ウェブ・サイト又はウェブ・サイト上のコンテントへのリンク、
・上述のリニア・メディアのいずれか
の１つあるいはそれより多いことが好ましい。
【００１６】
リニア・メディア内の一部を識別する（identify）ユーザが、コンテントを生成することが好ましい。或いは、コンテントは、前記一部を識別するユーザによって生成されないかもしれない。
【００１７】
前記一部は、時間又は時間範囲における特定のポイントであり得る。
【００１８】
前記一部は、ユーザの助けによって識別され得る。
【００１９】
前記一部は、より早い時点でユーザによって有効とされたルールに基づく、コンピュータの助けによって識別され得る。
【００２０】
前記一部は、
・メディアへのビューイング（viewing）／聞き取り（listening）に基づくユーザ選択による、時間内の特定のポイント、
・メディアへのビューイング（viewing）／聞き取り（listening）に基づくユーザ選択による時間の範囲、
・ユーザによって現在見られているコンテントに基づく時間の範囲（例えば、ビデオで見られている現在のスライドの開始及び終了時刻）、
・エラーのマージンを伴う（例えば、＋／−３０秒のユーザ選択）、ユーザ選択に基づく、時間における特定のポイント又は範囲、
・ランダムに選択される、
・（スライドの変化、メディア源の変化、等による）特定の事象（event）
−Ｈ.323アンブレラの元でカバーされるプロトコルを含む、Ｈ.323プロトコルが、特定の事象を識別するために使用される。
・ワード、又はフレーズ（例えば、スピーチからテキストへの認識）、
・ビデオ・コンテント（例えば、ビデオ分析が、特定の人がビデオに現れたことを知らせる）、
・一部を既に識別しているコンテントへのリンクを通じた参照によって識別される、
・所定のルールの組に基づく自動化された選択（例えば、コンピュータがメディアを処理）、
・利用可能なコンテントの組をグルーピングし、最も早い開始及び最も最近の終了時間を識別することによる、
の１つによって識別され得る。
【００２１】
本方法が、ステップ（ｉ）の前に、ユーザ・コンピュータにストリーミングし、ユーザ・コンピュータにダウンローディングし、又は、ユーザコンピュータによって使用するために記録可能メディア上に記憶するステップを含むことが好ましい。
【００２２】
リニア・メディアがビデオであり、コンテントがテキストであることが好ましい。
【００２３】
本方法は、ユーザが、第２のコンテントで、コンテントに応答するステップを含み得る。そのような場合、本方法は、更に、第２のコンテントを、コンテントによってリンクされた一部にリンクするステップを含み得る。
【００２４】
本方法は、コンテントの生成にタイム・スタンピングするステップを含み得る。
【００２５】
好ましくは、一部を識別している情報は、コンテントとともに記憶される。
【００２６】
本発明の他の特徴によれば、
ｉ）複数のユーザの夫々が、リニア・メディア内の一部を識別する；
ii）各ユーザが、対応する一部に関係するコンテントを生成する；そして
iii）各コンテントを、その、対応する一部にリンクする；
ステップを含み、
コンテントがリニア・メディアと同期されておらず、リニア・メディアの生成と共に、コンテントが、非同時発生的に生成される、コンテントを、リニア・メディアに対応付ける方法が提供される。
【００２７】
本方法は、各コンテントの生成をタイム・スタンピングするステップを含み得る。
【００２８】
好ましくは、各リンクは、２方向リンクである。
【００２９】
本発明の他の特徴によると、
ｉ）リニア・メディアを記録し、
ii）複数のユーザが、リニア・メディア内の一部を識別し、
iii）各ユーザが、対応する一部に関連するコンテントを生成し、
iv）各コンテントを、その、対応する一部にリンクし、
ｖ）複数のコンテントを含むインターフェースを、ユーザに表示し、
vi）ユーザが、１つのコンテントを選択し、そして
vii）インターフェースが、選択されたコンテントに対応するリニア・メディアの一部を表示するステップを含み、
少なくとも１つのコンテントがリニア・メディアと非同時発生的であり、少なくとも１つのコンテントが、リニア・メディアの生成とは非同時発生的に生成される、協働的なメディアを提供する方法が提供される。
【００３０】
本方法は、各コンテントの生成をタイム・スタンピングするステップを含み得る。
【００３１】
各リンクが、２方向リンクであることが好ましい。
【００３２】
好ましくは、コンテントのいずれも、リニア・メディアと同期されていない。
【００３３】
好ましくは、コンテントの全てが、リニア・メディアの生成とは非同時発生的に生成される。
【００３４】
本発明の他の特徴によれば、
ｉ）ユーザが、非同期的コンテントを選択し；そして
ii）コンテントにリンクされた一部からリニア・メディアを再生する；
ステップを含み、
コンテントが、リニア・メディアの生成とは非同時発生的に生成されたものである、リニア・メディアにアクセスする方法が提供される。
【００３５】
本発明の他の特徴によれば、
ｉ）ユーザが、時間の範囲を選択するために探索し、
ii）時間の範囲内のリニア・メディアの一部にリンクされた非同期的なコンテントを表示し；そして
iii）時間の範囲内のリニア・メディアを表示する、
ステップを含み、
コンテントが、リニア・メディアの生成とは非同時発生的に生成されたものである、リニア・メディアにアクセスする方法が提供される。
【００３６】
本発明の他の特徴によれば、
ｉ）リニア・メディアを表示し、そして
ii）リニア・メディア内の一時的な位置において、その一時的な位置に関連するリニア・メディアの一部にリンクされた非同期的なコンテントを表示するステップを含み、
コンテントが、リニア・メディアの生成とは非同時発生的に生成されたものである、リニア・メディアにアクセスする方法が提供される。
【００３７】
本発明の他の特徴によれば、
サーバが、メディアを、クライアント装置にストリーミングするようにされ；そして
クライアント装置が、コンテントを生成するために、そして、コンテントを一部にリンクするために、ユーザ入力を受け取ってリニア・メディアの一部を識別するために、リニア・メディアを受信するようにされるステップを含む、コンテントをリニア・メディアと対応付けるためのシステムが提供される。
【００３８】
好ましくは、サーバは、インターネットを介して、クライアント装置と通信する。より好ましくは、システムは、複数のクラアント装置を含む。
【００３９】
本発明の他の特徴によれば、
コンテントを生成するために、そして、コンテントを一部にリンクするために、ユーザ入力を受け取ってリニア・メディアの一部を識別するために、リニア・メディアを表示するようにされた第１の装置、及び
ユーザ入力を受け取ってコンテントを選択するために、そして、コンテントにリンクされたリニア・メディアの一部を表示するために、コンテントを表示するようにされた第２の装置、を含む、協動的メディアを提供するためのシステムが提供される。
【００４０】
本発明の他の特徴によれば、
リニア・メディアを記憶し、コンテントを記憶するようにされたメモリ、
リニア・メディアを、ユーザに出力するようにされた出力装置、
ユーザ入力を受け取って、リニア・メディアの一部の識別を支援するようにされた入力装置、及び
リニア・メディアの一部を、コンテントにリンクするようにされたプロセッサ、
を含む、コンテントをリニア・メディアに非同期的に対応付けるための装置が提供される。
【００４１】
好ましくは、入力装置は更に、ユーザ入力を受け取ってコンテントを生成するようにされる。
【００４２】
本発明の他の特徴によれば、コンテントを、コンテントを受け取るようにされたリニア・メディアに非同期的に対応付け、リニア・メディアの一部の識別（identification）を受け取り、そして、コンテントを、リニア・メディアにリンクするためのサーバであって、
コンテントが、リニア・メディアの生成とは非同時発生的に生成されるものである、サーバが提供される。
【００４３】
本発明の他の特徴によれば、非同期なコンテントを、コンテントを生成するようにされたリニア・メディアに対応付け、ユーザ入力を受け取って、リニア・メディアの一部の識別を支援し、コンテント及び識別をサーバに送るためのクライアントであって、
コンテントは、リニア・メディアの生成とは非同時発生的に生成されるものであるクライアントが提供される。
【００４４】
本発明の他の特徴によれば、
リニア・メディアを表示し、ユーザ入力を受け取ってリニア・メディアの一部を識別し、そして、ユーザ入力を受け取ってコンテントの生成を支援するようにされたユーザ・インターフェース、及び、
コンテントを、リニア・メディアの一部にリンクするようにされた協動モジュール、
を含み、
コンテントが、リニア・メディアとは非同時発生的に生成される、非同期的なコンテントをリニア・メディアと対応付けるためのソフトウェアが提供される。
【００４５】
本発明の他の特徴によれば、本発明の何らかのシステム内の、サーバとクライアントの間に送信される信号が提供される。
【００４６】
本発明の他の特徴によれば、本発明の方法、システム、ソフトウェア、装置、サーバ、又は、クライアントのいずれかに起因する（resulting from）協動的メディアが提供される。
【００４７】
本発明の他の特徴によれば、
リニア・メディア、
コンテント；及び
コンテントを、リニア・メディアの一部にリンクするタイミング情報、
を含む協働的（collaborative）メディアが提供される。
【発明を実施するための最良の形態】
【００４８】
添付の図面を参照して、例示の目的のみによって、本発明の実施例についてこれから説明する。
【００４９】
本発明は、コンテントを、リニア・メディアの一部にリンクすることによって、非同期的なコンテントを、リニア・メディアに対応付けるための方法及びシステムを記載する。
【００５０】
本発明の方法について、図１を参照して、これから説明される。
【００５１】
ステップ１において、リニア・メディアが記録される。リニア・メディアは、規定された開始時間、及び、好ましくは、規定された停止時間を有する何らかのメディアである。
以下のメディア・タイプは、本発明で使用され得るリニア・メディアのタイプのいくつかの例である。
・ストリーミング・ビデオ（例えばRealMedia, Windows（登録商標） Media, QuickTime  ビデオ）、
・ストリーミング音声（例えば、RealMedia, Windows（登録商標） Media, QuickTime  audio）
・ストリーミング・プレゼンテーション（ビデオ／音声及びスチル画、例えば、ＳＭＩＬプレゼンテーション）、
・フラッシュ（Flash）・プレゼンテーション、
・監督／オーサー・ウェア（Authorware）・プレゼンテーション、
・ＨＴＴＰ擬似ストリーミング・ビデオ（例えば、QuickTime高速スタート映画）、
・ＨＴＴＰ擬似ストリーミング音声
・ＣＤ／ＤＶＤベースのビデオ、
・ＣＤ／ＤＶＤベースの音声、
・ＣＤ／ＤＶＤベースの同期化されたメディア・プレゼンテーション、
・ハード・ディスク・ベースのビデオ、
・ハード・ディスク・ベースの音声、
・ハード・ディスク・ベースの同期化されたメディア・プレゼンテーション、
・イメージ・シーケンス（フォト・モンタージュ等）
・ＩＰＴＶ、
・デジタル・テレビ（即ち、ＨＤＴＶ）
・３Ｇビデオ、
・音声ＣＤ
【００５２】
上述のメディア・タイプのいくつかのために記録され得るデータの例は、
●ライブのビデオ
−スタジオ・ベース
−家庭で記録された
−ビデオ・コンフェレンス
−ウェブ・カム
−スクリーン・キャプチャ
●ライブの音声
−話された言葉
−音楽
−音声効果
−自然音
●アニメーション（ビデオ）
−セル・フレーム・アニメーション
−シミュレーション
−ストップ・モーション
●コンピュータ生成されたアニメーション（ビデオ）
−ユーザ・インターフェース
−コンピュータ・ベースのシミュレーション
−マルチプルの可能な結果的環境（outcome environment）（例えば、ゲーム）
●コンピュータ生成された音声
●時限式の（timed）スライド・ショー
−プレゼンテーション
−写真
−テスト
●ループ化されたビデオ
●ループ化された音声
●ループ化されたスライド・ショー
である。
【００５３】
ステップ２ａにおいて、リニア・メディアは、ユーザのコンピュータにストリームされる。或いは、ステップ２ｂのように、リニア・メディアはユーザ・コンピュータにダウンロードされ得る。或いは、ステップ２ｃのように、ユーザコンピュータによる使用のために、記録可能なメディア上に記憶され得る。
【００５４】
ステップ３において、ユーザは、リニア・メディアを、ユーザ・コンピュータ上で見る／聞く。
【００５５】
ステップ４において、リニア・メディアの一部が、識別される（identified）。
【００５６】
一部は、ユーザがリニア・メディアを直接見る／聞くか、又は、より早い時刻において実効化された（put in place）ルールに基づく機械的手段によるかのいずれかによって、規定され（defined）、識別され得る。
【００５７】
一部は、時間の範囲であり得、或いは、リニア・メディア内の時間における特定のポイントであり得る。
【００５８】
一部は、以下のやり方いずれかにおいて識別され得る：
・メディアへのビューイング（viewing）／聞き取り（listening）に基づくユーザ選択による、時間内の特定のポイント、
・メディアへのビューイング（viewing）／聞き取り（listening）に基づくユーザ選択による時間の範囲、
・ユーザによって現在見られているコンテントに基づく時間の範囲（例えば、ビデオで見られている現在のスライドの開始及び終了時刻）、
・エラーのマージンを伴う（例えば、＋／−３０秒のユーザ選択）、ユーザ選択に基づく、時間における特定のポイント又は範囲、
・ランダムに選択される、
・（スライドの変化、メディア源の変化、等による）特定の事象（event）
・ワード、又はフレーズ（例えば、スピーチからテキストへの認識）、
・ビデオ・コンテント（例えば、ビデオ分析が、特定の人がビデオに現れたことを知らせる）、
・一部を既に識別しているコンテントへのリンクを通じた参照によって識別される、
・所定のルールの組に基づく自動化された選択（例えば、コンピュータがメディアを処理）、
・利用可能なコンテントの組をグルーピングし、最も早い開始及び最も最近の終了時間を識別することによる、
【００５９】
特定の事象による、一部の識別は、Ｈ.245、Ｈ.225.0、及び、Ｈ.263  G.711のような、Ｈ.323アンブレラの元でカバーされるプロトコルを含む、Ｈ.323プロトコルの支援によって、実現され得る。
【００６０】
Ｈ.323は、パケット・ベースのマルチメディア通信システムのための、国際電気通信連合の勧告である。この勧告は、必ずしも、保証されたサービスの品質（QoS）を提供しない、パケット・ベースのネットワークを介してマルチメディア通信を提供する主体（entity）に適用される。それは、Ｈ.323の主体が提供し得、如何にしてそれらが通信するかの、メディア通信の形式（form）を指定する。
【００６１】
そのような通信は、文書カメラへの変更、スナップショット（静止画）の受信、マルチポイント・コールにおける異なった場所へのスイッチング、及び、時刻であって当該時刻内でビデオコンフェレンス中に特定の場所がアクティブであった時刻の識別のような、ビデオ・コンフェレンス内の特定の事象を識別するインデックスを含み得る。これらのインデックスは、一旦獲得されると次に、ビデオ・コンフェレンス内の特定の事象の選択によって、非同期的コンテント及びリニア・メディアのリンクのための時間内の一部を識別するための基礎を形成できる。
【００６２】
ステップ５において、ユーザはコンテントを生成する。これは、リニア・メディアの生成とは、非同時発生的に発生する。例えば、もし、リニア・メディアが、テレコンフェレンスならば、コンテントは、記録されたテレコンフェレンスの検討後に生成されたテレコンフェレンスの一部についての議論であり得る。ステップ５は、ステップ４の前に発生し得る。
【００６３】
以下は、使用され得るコンテントのタイプの例である：
・テキスト的な（テキスト／キャラクター・ベースのメッセージ・ポスティング）、
・チャット・トランスクリプト、
・リニア・メディアの音声コンテントのスピーチからテキストへのトランスクリプト、
・ストリーミング音声／ストリーミング・ビデオ応答（非同期的ビデオ・コンフェレンスの一種）
・ダウンロードされた音声／ビデオ（音声／ビデオ・メール応答を残すような）
・スチル画像
・発明の他の例（instance）へのリンク、
・ウェブ・サイト又はウェブ・サイト上のコンテントへのリンク、
・上述のリニア・メディアの殆どを含む。
【００６４】
ステップ６において、コンテントは、リニア・メディアの識別部分にリンクされる。
【００６５】
この、リンクされたコンテント及びリニア・メディアが、今、ユーザによってアクセスされ得るような、いくつかのやり方が存在する：
ａ）ステップ７ａにおいて、ユーザは、リニア・メディア内の特定の時間範囲を探索する。その時間範囲内のリニア・メディアにリンクされたコンテントは表示され（８）、その時間範囲に対するリニア・メディアが再生される（９）。
ｂ）ステップ７ｂにおいて、リニア・メディアにリンクされた全てのコンテントのリストが、ユーザに提示される。ユーザは、表示されたコンテントの１つを選択する１０。コンテントにリンクされたリニア・メディアの一部が再生される１１。又は
ｃ）ステップ７ｃにおいて、リニア・メディアが再生され、再生中のリニア・メディアの一部にリンクされたコンテントが表示される１２。
【００６６】
（メッセージのような）コンテントは、それがリンクするリニア・メディアについてのタイミング情報に関連する情報を保持する。そして、それは、いつ、それが生成されたか、及び、（もし、コンテントが編集されたならば）いつそれが編集されたかについてのタイミング情報をも維持する。コンテント生成時間は、コンテントの、年代順の（chronological）順序付けを可能とすることによって、ステップ７ｂでユーザに提示されたときに、コンテントのリストが、コンテント・ポスティング（posting）の自然な時間順序に従うようにできる。
【００６７】
リニア・メディア内の時間のリンクされた一部に関連してコンテント生成時間が使用されるときに、ユーザは、リニア・メディアにおける興味の対象の一部に関連するものとして、コンテント・ポスティングの年代順の履歴を追う（follow）ことができる。
【００６８】
（メッセージのような）コンテントは、スレッデッド・モード（threaded mode）において、ユーザにも表示され得る。これによって、コンテントは、年代順に組織化されるが、新たに年代順に並べられたメッセージ・スレッドを生成するために、メッセージに応答することを可能とする。
【００６９】
図２は、リニア・メディア・ストリーム内の時間におけるポイントを識別する、非同期的コンテントの一つの場合（instance）を示す。時間内のこのポイントは、コンテント内の「しおり」タイプのリンクによってではなく、コンテント・インスタンスの別個の要素を通じた参照によって参照される。この参照要素は、単に、「しおり」タイプのリンクにおけるような、コンテントの小さなサブセット（subset）ではなく、コンテント全体として、リニア・メディア・ストリームにリンクすることを可能とする。これは２方向のリンクである。コンテントが、リニア・メディア・ストリーム内の時間の特定のポイントを参照する一方、メディア・ストリーム自身は、その特定のコンテント・インスタンスを発見するために使用され得る。
【００７０】
図３は、非同期的なコンテントが、リニア・、エディア・ストリーム内の時間の範囲を識別する一つの場合を説明する。時間内のこの範囲は、コンテント・インスタンス内の、１つあるいはそれより多い参照要素（elements）によって参照され得る。参照要素の例は開始時間、開始時間及び期間、開始時間及び終了時間、等である。これは、２方向リンクである。コンテントが、リニア・メディア・ストリーム内の時間の範囲を参照する一方、メディア・ストリーム自体は、時間の範囲に基づいて、その特定のコンテント・インスタンスを発見するために使用され得る。
【００７１】
図４は、時間のポイントと、時間の範囲の双方を識別する非同期的コンテントの一つの場合（instance）を説明する。それは、時間のポイント及び時間の範囲の識別及びリンキングを取り扱うために、図２及び図３で説明された方法を用いる。この例は、時間のポイントと、時間の範囲の双方が与えられた、完全な２方向リンキングを与える。
【００７２】
図５は、コンテント１が、時間の範囲によってリニア・メディア・ストリームにリンクされた非同期的コンテントである状態（及び、その逆）を示す。コンテント２は、コンテント１への応答である。しかし、コンテント１への参照におけるコンテント２のコンテキスト（context）は、コンテント１及びリニア・メディアのインテント（intent）の外側にある。これは、コンテント２が、リニア・メディア・ストリームとは、直接的には関連しないことを意味する。コンテント３は、コンテント２への応答（reply）であるが、それは、リニア・メディアのコンテキストの中にある。コンテント３は、（参照時間が維持されるが、「不活性（inactive）」としてマーキングされるので）コンテント２を通じてコンテント１に、それ故、リニア・メディアの位置に参照され得る。リニア・メディア内の識別された一部から関連するコンテント見ることは、結果として、コンテント２を生み出さないであろう。何故なら、それは、特別に関連しないことになろうからである。
【００７３】
図６は、如何にして、本発明が、ソフトウェア・モジュールに亘って展開（deployed）され得るかを示す。ウェブ・サーバ及び協動（Collaboration）エンジンは、１つの共通インターフェース内にハウジングされる。これは次に、メディア及びコンテントのアクセスのために、ファイル・システムにリンクする。このシステムでホストとされた（hosted）コンテントは、次に、ウェブ・サーバ、協動エンジン、及び、ファイル・システムのコア・ファシリティー（core facilities）の外部の他のシステムにリンクされる。
【００７４】
ウェブ・サーバと協動エンジンの組合せは、２つの形式（forms）を採り得る。最初は、ウェブ・サーバと相互作用する（interacting with）ＣＧＩアプリケーションの形式の協動エンジンである。この場合には、ウェブ・サーバは、通信リクエストを取扱い、これらのリクエストを、処理のために協動エンジンに渡す（passing）ことによって、ユーザと協動エンジンの間の仲介者として動作する。協動エンジンは、次に、リクエストの結果を、ユーザへのプレゼンテーションのために、ウェブ・サーバに戻して渡す。
【００７５】
第２の形式（form）は、ウェブ・サーバと協動エンジンが、１つの主体（entity）であるものである。この形式は、リクエストがユーザからウェブ・サーバを介して受信され、協動エンジンによって処理され、結果が、ウェブ・サーバを介してユーザに送り戻されること（そしてこれら全てが同じアプリケーション内にあること）によって、そしてそれにより、第１の形式のウェブ・サーバと協動エンジンの間のパイプのボトルネックを除去することによって処理の速度の点で利点をもつ。
【００７６】
双方の場合において、非同期的コンテントとリニア・メディアのリンキングの背後の技術は、（協動エンジン内の）サーバ側と、（ユーザのウェブ・ブラウザ内の）クライアント側の双方の、スクリプティング（scripting）技術を利用する。サーバ側のスクリプティングは、サーバ上の協動エンジン内で走り、ユーザは、これらのスクリプトの結果だけを見る。しかし、クライアント側のスクリプトは、協動エンジンによって生成され、協動エンジンからの結果の一部として、それら全体が送られ、ユーザのウェブ・ブラウザを通じて、ユーザのコンピュータ上で実行される。
【００７７】
図７は、そこにおいて、本発明が異なったハードウェアに亘ってホストされる、サンプル分散された展開（sample distributed deployment）を示す。技術の各々は他の者（others）と通信し、インターネットを介してユーザと相互作用する。この図は、本発明が、単一のマシン上での展開に限定されないことを示す。ハードウェアは、配置場所が異なり、異なったオペレーティング・システムを走られている、異なったタイプのものであり得ることが理解されるであろう。
【００７８】
本発明は、以下のいずれかのやりかたでも展開され得る：
・ソフトウェアがＰＣのようなハードウェアの上で走るような単純な展開。ホストされたコンテントのための協動エンジン及びファイル・システムをホスティングするウェブ・サーバとして作動する。他のサーバ上の他のコンテント・タイプ（外部ストリーミング・サーバ上のストリーム化されたメディアのような）へのリンクを提供する。
・ターン・キー・ハードウェア・ソリューションとして展開される、埋め込まれたシステム。協動エンジン、ウェブ・サーバ、ストリーミング・サーバ、及び、コンテント・アクイジション・ツール（Ｈ.323ビデオ・コンフェレンス・レコーダのような）を含む。
・第三者の協動エンジンへのソフトウェア・プラグ・イン（例えば、Moodle）。
【００７９】
如何にして、本発明が、非同期的なビデオ・コンフェレンスために使用され得るかの例が、以下、説明される。
【００８０】
この展開は、非同期的な協動エンジンの標準的構造（structure）を使用し得るが、全てのメッセージは、ビデオ、及び／又は、音声メッセージ（ストリーム化された、又は、ダウンロードされた）としてポスト（posted）され得る。継続的プレゼンス（presence）としての、標準マルチ・ポイントのビデオ・コンフェレンスのオプションは、マルチプルのメッセージから、ビデオ画像と音声形式を、所定のルールの組に従って、一緒に混合することによって模擬され得る。応答（reply）としてポストされたメッセージは、オリジナルのメッセージにリンク・バック（linking back）する、同じ方法を使用する。これは、エンド・ユーザが、１つの完全なビデオ／音声プログラムとしての特定のスレッドに続く、全体の協動を通じた、特定のビデオ／音声パス（path）に従う（follow）ことを可能とする。
【００８１】
図８を参照して、本発明のソフトウェアの実行が説明される。
【００８２】
グラフィカル・ユーザ・インターフェース（ＧＵＩ）は、４つの情報のパネル（panes）を提供する：
１．コンテンツのテーブル、又は、インデックス・パネル。これは、メディア・コンテント内の特定の事象又はポイントへのリンクを含む。
２．マルチメディア・パネル。特定のメディア要素自体。
３．プレゼンテーション・パネル。コンフェレンス中に利用可能な、何らかのスライド、プレゼンテーション画像、又は、二重（dual）ストリーム・ビデオ。
４．非同期的協動パネル。非同期的協動及び相互作用の全てが行われる部分。
【００８３】
協動エリアは、フォルダ及び議論（Discussions）の階層に分けられる。議論は、常に、フォルダ内に含まれ、フォルダは、他のフォルダを含み得る。リンキング技術は、議論及びメッセージ・タイプに為された修正を伴う、異なった形式のフォルダとして実現される。
【００８４】
リンキング技術フォルダは、リンクしているメディア要素についての情報、及び、両方の要素を表示するために用いられるレイアウト（テーマ／テンプレート）を維持する。特定のリンキング技術フォルダの名称は、フォルダ項目（item）を設定するときに、ユーザによって与えられる。この時点で、どのユーザがそのコンテントへのアクセスを持つか、及び、どんな種類のアクセスか（非アクセス、リード・オンリー、リード・ライト、仲介された（moderated）のような）、について取り扱っているフォルダのためのアクセス・リストが更に提供される。フォルダ項目は、メディア要素についての必要な情報（例えば、位置、期間、メディア・タイプ、サポートされるビットレート）をも含む。
【００８５】
ビデオ・コンフェレンスの完了時点において、１つのサブ・フォルダが自動的に生成される：
・特定のコメント  −  インデックス化された要素の各々のための個々の議論を含む（パネル１に示されるように）。
【００８６】
メディアが再生しているときに、ユーザは、何時でも、メッセージをポスト（post）する機会を持つ。このメッセージは、メディア内の時間の特定のポイントか、メディア内の時間の範囲かのいずれかに関連するか、又は、特定の時間には関連せず、メディア全体に関連し得る。このメッセージをポスティングするときに、ユーザは、メッセージを「一時停止し、ポストする」、又は、メッセージを「ポスト」して、メディアを継続させる能力を持つ。
【００８７】
・「一時停止及びポスト」は、メディアが再生することを停止させ、ユーザを「ポスト・メッセージ」形式（form）に連れて行き、彼らにメッセージを作成させる。この時点で、”一時停止及びポスト”メッセージが活性化（activated）されるような”時間の特定のポイント”、及び、現在の時間がその中に含まれる、インデックス化された要素のための”時間の範囲”（即ち、スライドの開始から終了までの範囲）、に関連する２つの組のタイミングが、ビデオから採用される。この時間の範囲は、インデックス番号、又は、名称を記憶し、そこからのタイムスタンプ、及び、次の事象のためのタイムスタンプを参照するような、他の方法によっても計算され得る。
・”ポスト”メッセージは、メディアから、”一時停止及びポスト”方法と同じタイミング情報を採用するが、ユーザが、メッセージ・ポスティングを完了させる間にメディアの再生を継続する。
【００８８】
「特定のポイント」及び「時間の範囲」のためのタイミング情報は、議論ノード（discussion node）の属性として記憶されることによって、何時でも、システムによって検索され得る。議論が関連するメディアは、議論ノード要素との特定的な関係では記憶されないが、それは、このフォルダ項目に対して、フォルダ／議論の階層を、頂上レベル・フォルダまで登る（working up）ことによって導かれる。
【００８９】
メッセージをポスティングするときに、一旦、ユーザが、彼らのメッセージのタイピングを完了すると、彼らは、メッセージを、彼らがポストしたような時間の範囲によってカバーされている事象についての特定のコメント内に直接ポスティングするか、又は、一般的コメント議論の中にポストするオプションを持つ。”一般的なコメント”の場合には、タイミング情報のポスティングは、”不活性（inactive）”としてマーキングされるが、いずれの場合でも、メディア内のどこにメセージがポストされたかについてのタイミング情報は含まれている。不活性なマーキングは、このコメントが、時間が特定されたサーチに戻されることを停止させる。しかし、タイミング情報を維持することによって、このメッセージは、（”アクティブである（active）”としてマーキングすることによって）後の時間において、メディアと再リンクし得る。
【００９０】
タイミング情報が、議論メッセージ内に記憶された状態において、今、ユーザは、議論内でリンク上をクリックして、ビデオ内のポイント（ここにおいて、メッセージが、ポストされている）に直接行く能力、又は、メッセージがポストされた範囲の開始部分に行く能力を提供される。ビデオ内の特定のポイントに移動させることは、容易に、特定のポイント＋又は−時間増分（例えば、＋／−３０秒及び＋／−１分）に行く能力を提供することによって更に強化される。
【００９１】
ユーザが、メディア内のポイントを発見し、次に、そのポイントにリンクされた議論にアクセスすることによって、逆転（reverse）もまた利用可能である。再度、これも、「特定のポイント」又は「時間の範囲」を基礎として為され得る。もし、時間の「特定のポイント」で為されたならば、そのポイントは、このポイントから後の、又は、再び＋／−時間の増分から後の、議論を示すように設定され得る。
【００９２】
ユーザが、彼らのこのシステムとの最初のコンタクトとして、メディアか議論かのいずれかを彼ら自身で使用できる一方、議論（discussion）内の直接リンクと類似するやり方で（on a similar basis）リンクを、メディアに戻すことになる探索もまた、実行され得る。
【００９３】
如何にして、本発明が使用されるかの例が、これから説明される。
【００９４】
＜シナリオ１−教育＞
教師が、教授コンセプトが、以下のメディアで、リニアなやり方（linear fashion）で捕捉されることを除いて、通常のやり方で教育活動に従事する：
ビデオ、音声、スライド・プレゼンテーション。
このメディアは、次に、オン・デマンド状態で学習者に提示される。彼らは、彼ら自身が、ストリーム化されたビデオ及び音声教材（material）を、1つあるいはそれより多いストリーム（スライド教材が、年代順に、ストリーム化されたビデオ及び音声にリンクされる）として利用可能にできる。学習者１はリニアなメディアを見る。そして、スライド３が現れたポイントにおいて、彼は、リニア・メディアのその部分に関連する疑問を持つ。彼は、このポイント・ボタンにおいて、ポスト・メッセージの上をクリックし、彼の質問をエンターする。学習者１が、メッセージをポスト（posts）するや否や、学習コミュニティの他のメンバーは、通知システムによって知らされ得る。学習者２は、電子メールを介して通知されるべきことを選択する。彼女は次に、学習者１によって提示されたメッセージを見、その質問を反復する応答をポストする。教師は次に、彼女のメッセージの通知（notification）に応答し、メッセージを見て、学習者１によって参照されたリニア・メディア部分を見ることを選択する。提示されたビデオ、音声、及びスライドを検討した後に、教師は次に、学習者１及び２に、彼らの質問への回答で応答する。
【００９５】
＜シナリオ２−健康＞
医学の教授が、大規模な回診（Grand Rounds）を、ビデオ・コンフェレンス装置を介して接続された、教育病院のグループに提示する。種々のポイントにおいて、提示中に、カメラが、議論されている神経外科手順の光景（views）をクローズアップするようにスイッチされる。大規模な回診のライブの提示中に、医学生が、電極プローブを用いた神経系の機能のためのテストを伴う手順の説明を求めるメッセージをポストする。大規模な回診の終了後に、教育病院の１つにおける他の神経学の教授が、この手順についての説明によってポストに応答する。３ヶ月後に、遠隔の病院で業務を行う神経外科医が、彼女がこれから行おうとする手術のための準備において、この提示を検討した。彼女は、リニア・メディアを見る前に議論を検討し、そうする間に、サーチ・エンジンを用いて、医学生によって始められた探針（probing）手順の議論を発見する。議論を検討した後に、彼女は次に、リンクを用いて、リニア・メディアの関連する一部に戻り、彼女の患者に関連する提示の、その一部を見た。
【００９６】
＜シナリオ３−商業＞
製品Ｘのための販売プレゼンテーションが記録され、次に、本発明を用いて利用可能とされた。このプレゼンテーションは、次に、全ての製品Ｘの潜在的バイヤーに利用可能とされた。各々の潜在的バイヤーは、製品プレゼンテーションの要素（elements）についてコメントを述べることができる。このコメントは、直接、販売スタッフによって戻し参照（referred back）され得る。もし、コメントが肯定的ならば、販売スタッフは、そのマテリアル（material）を含むようにプレゼンテーションを修正できる。もし、コメントが否定的ならば、プレセンテーションは、それに従って修正され得る。更に、販売及び開発スタッフは、特定の質問及び懸念を、直接潜在的なバイヤーに提出できる。マーケティング・スタッフは、次に、リニア・メディアに作られたリンクを分析でき、その情報を使用して、直接、購入者をターゲットとされたマテリアルの販売及びマーケティングの修正の手助けとできる。
【００９７】
従来的な形式のリンキングが、非同期的スライドの一部が、メディアについての限定された情報だけを知ることを可能とする一方、本発明の２方向リンクは、メディアが、非同期的技術について知り、非同期的技術が、メディアについてのより詳細な情報を知ることができることを可能とするという利点を提供する。これによって、ユーザが、ストリーム化されたビデオのようなリニア・メディアの形式（form）を監視すること、及び、如何なるポイントにおいても、そのポイントにおいて、又は、その周りの時間において行われた、非同期的な協動を見ることが可能となる。視聴者（viewer）は、メディア内のそのポイントの周りで行われた全ての非同期的協動、又は、特に時間のそのポイントに関連する非同期的協動の一部（pieces）だけ、にアクセスできる。この技術は、時間のポイントだけには限定されず、それは、その時間範囲内に行われた、メディア内の時間の範囲の非同期的協動へのリンキングにおいても有用である。
【００９８】
リンキングの従来的な形式を進めて、本発明は、メッセージの特定のメッセージ又はグループ（例えば、議論スレッド）に基づいて、これらのメセージのいずれも、メディア内へのコンテント内の特定のリンクを要求すること無しに、ユーザが、メディアの関連する一部を見るための能力を導入する。
【００９９】
非同期的技術のコンテントのポスティング中にメッセージ、議論、又はフォルダに追加される特定のタイミング情報の追加を通じて、本発明はこれを実現する。このタイミング情報は、コンテントが関連するメディア内の時間の特定のポイント，コンテントが関連する時間の範囲の開始，コンテントが関連する時間の範囲の終了，のような（しかし、これに限定されない）情報を保持する。本発明はまた、コンテントをメディアにリンクする能力を提供することによって、コンテントが、非同期的協動技術（technology）にポストされるやり方を変更する。
【０１００】
本発明が、その実施例の説明によって説明されてきた一方、そして、実施例は、詳細部を考えて説明されてきた一方、添付の請求項の範囲を、そのような詳細に限定、又は、何らかのやり方で制限することは、出願人の意図ではない。追加的な利点及び修正が、当業者にとって直ぐに、明白となるであろう。それ故、その、より広い特徴における本発明は、特定の詳細に表現された装置及び方法、及び、ここに示され、説明された説明的な例に限定されない。従って、出願人の全体的な発明概念の思想及び範囲から離れること無しに、そのような詳細からの離脱が為され得る。
【図面の簡単な説明】
【０１０１】
【図１】本発明の方法を説明するフロー図を示す。
【図２】如何にして、コンテントが、リニア・メディアの、時間における特定のポイントを示している一部にリンクされ得るかを説明する図面を示す。
【図３】如何にして、コンテントが、リニア・メディアの、時間における範囲を示している一部にリンクされ得るかを説明する図面を示す。
【図４】如何にして、コンテントが、リニア・メディアの、時間部分における範囲と、時間部分における特定のポイントの双方にリンクされ得るかを説明する図面を示す。
【図５】如何にして、マルチプルのコンテントが、リニア・メディアの単一の一部にリンクされ得るかを説明する図面を示す。
【図６】如何にして、本発明の方法が、ソフトウェアで実施され得るかを説明する図面を示す。
【図７】如何にして、本発明が、ハードウェア上で展開（deployed）されるかを説明する図面を示す。
【図８】本発明の動作を説明するスクリーン・ショットを示す。
【図１】
2008507195.tif 000003
【図２】
2008507195.tif 000004
【図３】
2008507195.tif 000005
【図４】
2008507195.tif 000006
【図５】
2008507195.tif 000007
【図６】
2008507195.tif 000008
【図７】
2008507195.tif 000009
【図８】
2008507195.tif 000010
【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
コンテントを、リニア・メディアに対応付ける方法であって、
ｉ）前記リニア・メディアに関連するコンテントを生成し、
ii）前記コンテントに対応付けられた前記リニア・メディアの一部を識別し、そして、
iii）前記コンテントを、前記一部にリンクする、
ステップを含み、
前記コンテントが前記リニア・メディアと同期されておらず、前記コンテントが、前記リニア・メディアの生成とは非同時発生的に生成され、前記コンテントと前記一部の間のリンクが２方向リンク（two-way link）である、
コンテントを、リニア・メディアに対応付ける方法。
【請求項２】
ステップ（ｉ）の前に前記リニア・メディアを記録するステップを含む、
請求項１に記載の方法。
【請求項３】
前記一部が、
前記リニア・メディアを再生し、そして
ユーザが、コンテントをリンクするために選択する、
というサブ・ステップによってステップ（ii）で識別され、
識別された前記一部が、ユーザが、コンテントをリンクするために選択するときの前記リニア・メディア内の一部である、
以上の請求項のいずれかに記載の方法。
【請求項４】
ユーザが前記コンテントをリンクするために選択した後に、ユーザが前記コンテントを提供し
ユーザが前記コンテントを提供するときに前記リニア・メディアが再生を継続する、
する、
請求項３に記載の方法。
【請求項５】
ユーザが前記コンテントをリンクするために選択した後に、ユーザが前記コンテントを提供し、
ユーザが前記コンテントを提供するときに、前記リニア・メディアの前記再生が一時停止される、
請求項３に記載の方法。
【請求項６】
前記リニア・メディアが、ストリーミング・ビデオ、ストリーミング音声、ストリーミング・プレゼンテーション、フラッシュ・プレゼンテーション、監督／オーサー・ウェア（Authorware）・プレゼンテーション、ＨＴＴＰ擬似ストリーミング・ビデオ、ＨＴＴＰ擬似ストリーミング音声、ＣＤ／ＤＶＤベースのビデオ、ＣＤ／ＤＶＤベースの音声、ＣＤ／ＤＶＤベースの同期化されたメディア・プレゼンテーション、ハード・ディスク・ベースのビデオ、ハード・ディスク・ベースの音声、ハード・ディスク・ベースの同期化されたメディア・プレゼンテーション、イメージ・シーケンス、ＩＰＴＶ、デジタル・テレビ、３Ｇビデオ、及び、音声ＣＤの組から選択された、１つあるいはそれより多いものである、
以上の請求項のいずれかに記載の方法。
【請求項７】
前記コンテントが、テキスト的なもの、チャット・トランスクリプト、リニア・メディアの音声コンテントのスピーチからテキストへのトランスクリプト、ストリーミング音声／ストリーミング・ビデオ応答、ダウンロードされた音声／ビデオ、スチル画像、発明の他の例（instance）へのリンク、ウェブ・サイト又はウェブ・サイト上のコンテントへのリンク、ストリーミング・ビデオ、ストリーミング音声、ストリーミング・プレゼンテーション、フラッシュ・プレゼンテーション、監督／オーサー・ウェア（Authorware）・プレゼンテーション、ＨＴＴＰ擬似ストリーミング・ビデオ、ＨＴＴＰ擬似ストリーミング音声、ＣＤ／ＤＶＤベースのビデオ、ＣＤ／ＤＶＤベースの音声、ＣＤ／ＤＶＤベースの同期化されたメディア・プレゼンテーション、ハード・ディスク・ベースのビデオ、ハード・ディスク・ベースの音声、ハード・ディスク・ベースの同期化されたメディア・プレゼンテーション、イメージ・シーケンス、ＩＰＴＶ、デジタル・テレビ、３Ｇビデオ、及び、音声ＣＤ、の組から選択された１つあるいはそれより多いものである、
以上の請求項のいずれかに記載の方法。
【請求項８】
ユーザが、前記リニア・メディア内の前記一部を識別して、前記コンテントを生成する、以上の請求項のいずれかに記載の方法。
【請求項９】
ユーザが、前記リニア・メディア内の前記一部を識別するが、前記コンテントを生成しない、請求項１ないし７のいずれかに記載の方法。
【請求項１０】
前記一部が、時間の特定のポイントである、以上の請求項のいずれかに記載の方法。
【請求項１１】
前記一部が、時間の範囲である、請求項１ないし９のいずれかに記載の方法。
【請求項１２】
前記一部が、ユーザの支援によって識別される、以上の請求項のいずれかに記載の方法。
【請求項１３】
前記一部が、より早い時点においてユーザによって有効化された、コンピュータベースのルールの支援によって識別される、以上の請求項のいずれかに記載の方法。
【請求項１４】
前記一部が、
ａ．前記リニア・メディアを見ること／聞くことに基づいて、ユーザが前記一部に対する時間の特定のポイントを選択する、
ｂ．前記リニア・メディアを見ること／聞くことに基づいて、ユーザが前記一部に対する時間の範囲を選択する、
ｃ．ユーザによって見られるリニア・メディアの時間の前記範囲に基づいて前記一部を識別する、
ｄ．ランダムな選択に基づいて前記一部を識別する、
ｅ．前記リニア・メディア内の特定の事象に基づいて前記一部を識別する、
ｆ．前記リニア・メディア内のワード又はフレーズの位置に基づいて前記一部を識別する、
ｇ．リニア・メディアのビデオ・コンテントの分析によって前記一部を識別する、
ｈ．一部を既に識別しているコンテントへのリンクを通じた参照によって前記一部を識別する、
ｉ．ルールの所定の組に基づいて前記一部を識別する、及び
ｊ．コンテントの組に基づいて前記一部を識別するものであって、当該組内の各コンテントが、リニア・メディアの一部にリンクされ、識別された部分が、コンテントの組の中の最も早いリンクから、コンテントの組の中の最も遅いリンクへのリニア・メディア内の時間の範囲である、
組から選択された１つあるいはそれより多いステップによってステップ（ii）で識別される、以上の請求項のいずれかに記載の方法。
【請求項１５】
前記一部が、前記リニア・メディア内の特定の事象に基づいて識別され、
Ｈ.323、ＳＩＰ、若しくは、Ｈ.234／Ｍプロトコル、又は、Ｈ.323アンブレラの下でカバーされるプロトコル、が使用されて、前記特定の事象を識別する、
請求項１４に記載の方法。
【請求項１６】
前記一部が、エラーのマージンを有するユーザ選択に基づいて識別される、
以上のいずれかの請求項に記載の方法。
【請求項１７】
ユーザ・コンピュータによって使用するための、ユーザへのストリーミング、ユーザ・コンピュータへのダウンローディング、及び、記録可能なメディア上での記憶、の組から選択される、いずれか１つのステップを含み、
これらのステップが、ステップ（ｉ）の前に発生する、
以上のいずれかの請求項に記載の方法。
【請求項１８】
前記リニア・メディアがビデオであり、前記コンテントがテキストである、
以上のいずれかの請求項に記載の方法。
【請求項１９】
ユーザが、第２のコンテントで（with）前記コンテントに応答するステップを含む、
以上のいずれかの請求項に記載の方法。
【請求項２０】
前記第２のコンテントが、前記コンテントによってリンクされた前記一部にリンクされる、請求項１９に記載の方法。
【請求項２１】
前記第２のコンテントが、前記コンテントによってリンクされた前記一部にリンクされていない、請求項１９に記載の方法。
【請求項２２】
前記コンテントの前記生成をタイム・スタンピングするステップを含む、
以上のいずれかの請求項に記載の方法。
【請求項２３】
前記一部を識別する情報が前記コンテントと共に記憶される、以上のいずれかの請求項に記載の方法。
【請求項２４】
コンテントを、リニア・メディアと対応付ける方法であって、
ｉ）複数のユーザの各々が、前記リニア・メディア内の一部を識別し、
ii）各ユーザが、対応する前記一部に関連するコンテントを生成し、そして
iii）各コンテントを、その対応する一部にリンクする、
ステップを含み、
前記コンテントが前記リニア・メディアと同期されておらず、前記コンテントが、前記リニア・メディアの生成とは非同時発生的に生成され、各コンテントと、その対応する一部の間の前記リンクが、２方向リンクである方法。
【請求項２５】
各コンテントの前記生成をタイム・スタンピングするステップを含む、請求項２４に記載の方法。
【請求項２６】
協働的メディアを提供する方法であって、
ｉ）リニア・メディアを記録し、
ii）複数のユーザが、前記リニア・メディア内の一部を識別し、
iii）各ユーザが、対応する前記一部に関連するコンテントを生成し、
iv）各コンテントを、その対応する一部にリンクし、
ｖ）前記複数のコンテントを含むインターフェースを、ユーザに表示し、
vi）ユーザが、１つのコンテントを選択し、そして
vii）前記インターフェースが、前記選択されたコンテントに対応する前記リニア・メディアの前記一部を表示する、
ステップを含み、
少なくとも１つのコンテントが、前記リニア・メディアと同期されておらず、少なくとも１つのコンテントが、前記リニア・メディアの前記生成とは非同時生成的に生成され、そして、各コンテントと、その対応する一部の間の各リンクが、２方向リンクである方法。
【請求項２７】
各コンテントの前記生成をタイム・スタンピングするステップを含む、請求項２６に記載の方法。
【請求項２８】
前記コンテントのいずれも、前記リニア・メディアと同期されていない、請求項２６又は２７に記載の方法。
【請求項２９】
前記コンテントの全てが、前記リニア・メディアの前記生成とは非同時生成的に生成される、請求項２６から２８のいずれかに記載の方法。
【請求項３０】
コンテントを、リニア・メディアと対応付けるためのシステムであって、
リニア・メディアを、クライアント装置にストリーミングするようにされたサーバ、および、
コンテントを生成するために、そして、当該コンテントを、前記一部とリンクするために、ユーザ入力を受け入れ（accepting）て、前記リニア・メディアの一部を識別するために、前記リニア・メディアを受信するようにされたクライアント装置、
を備え、
前記リンクが２方向リンクであるシステム。
【請求項３１】
前記サーバが、デジタル・ネットワークを介して、前記クライアント装置と通信する、請求項３０に記載のシステム。
【請求項３２】
複数の前記クライアント装置を含む、請求項３０又は３１に記載のシステム。
【請求項３３】
協働的なメディアを提供するためのシステムであって、
コンテントを生成するために、そして、２方向リンクによって前記コンテントを前記一部とリンクするために、ユーザ入力を受け入れて、前記リニア・メディアの一部を識別するために、リニア・メディアを表示するようにされた第１の装置、及び、
ユーザ入力を受け入れて、前記コンテントを選択するために、そして、前記コンテントにリンクされた前記リニア・メディアの前記一部を表示するために、前記コンテントを表示するようにされた第２の装置、
を備えるシステム。
【請求項３４】
非同期的なコンテントを、リニア・メディアと対応付けるための装置であって、
前記リニア・メディアを記憶し、前記コンテントを記憶するようにされたメモリ、
前記リニア・メディアを、ユーザに出力するようにされた出力装置、
ユーザ入力を受信して、前記リニア・メディアの一部の識別を支援するようにされた入力装置、及び、
前記リニア・メディアの一部を、２方向リンクで前記コンテントにリンクするようにされたプロセッサ、
を備える装置。
【請求項３５】
前記入力装置が、更に、ユーザ入力を受信して、前記コンテントを生成するようにされた、請求項３４に記載された装置。
【請求項３６】
非同期的なコンテントを、リニア・メディアと対応付けるためのサーバであって、
コンテントを受信し、
前記リニア・メディアの一部の識別を受信し、そして、
前記コンテントを、２方向リンクで前記リニア・メディアにリンクする、
ようにされ、
前記コンテントが、前記リニア・メディアの前記生成とは非同時発生的に生成される、
サーバ。
【請求項３７】
非同期的コンテントをリニア・メディアと対応付けるためのクライアントであって、
前記コンテントを生成し、
ユーザ入力を受信して、前記リニア・メディアの一部の識別を支援し、
前記コンテント及び前記識別を、サーバに送る、
ようにされ、
前記コンテントが、前記リニア・メディアの前記生成とは非同時生成的に生成され、前記コンテントを、２方向リンクで前記リニア・メディアにリンクする、
クライアント。
【請求項３８】
非同期的コンンテントを、リニア・メディアと対応付けるためのソフトウェアであって、
前記リニア・メディアを表示するようにされたユーザ・インターフェースであって、ユーザ入力を受信して前記リニア・メディアの一部を識別し、ユーザ入力を受信してコンテントの前記生成を支援する、インターフェース、及び、
前記コンテントを、２方向リンクで前記リニア・メディアの前記一部にリンクするようにされた協動モジュール、
を含み、
前記コンテントが、前記リニア・メディアとは非同時生成的に生成されるものであるソフトウェア。
【請求項３９】
請求項３０から３３のいずれかに記載されたシステム内の前記サーバと前記クライアントの間を送信される電気的信号。
【請求項４０】
以上のいずれかの請求項に記載された、方法、システム、装置、又は、ソフトウェアのいずれかから生み出される（resulting from）、協働的メディア。
【請求項４１】
リニア・メディア、
コンテント、及び、
前記コンテントと前記リニア・メディアの一部の間の２方向リンクを提供するタイミング情報、
を含む協動的メディア。
【国際調査報告】
2008507195.tif 000011
2008507195.tif 000012
2008507195.tif 000013